(57)【要約】【課題】利用者に対して情報を簡易な構成にて容易に視認させ得る定置式の光学的情報読取装置を提供する。【解決手段】読取口１３が上方に設けられるハウジング１１には、当該ハウジング１１の下面１１ｂを除く側面である前面１１ｃ、左面１１ｅおよび右面１１ｆに対して、読取口１３に情報コードを誘導するための誘導情報Ｓ１と告知情報Ｓ２とを表示するためのシート５０を着脱可能に保持するための保持部材１６が、設けられている。【選択図】図１
2014044570.tif 000002
【特許請求の範囲】
【請求項１】
情報コードからの反射光を読取口を介して受光する受光手段と、
前記受光手段が収容されて、載置される面を下方とするとき前記読取口が上方に設けられるハウジングと、
を備える定置式の光学的情報読取装置であって、
前記ハウジングには、当該ハウジングの下面を除く上面および側面の少なくとも一部に対して、前記読取口に前記情報コードを誘導するための誘導情報と所定の情報とを表示するための表示部材を着脱可能に保持するための保持部材が、設けられることを特徴とする光学的情報読取装置。
【請求項２】
前記ハウジング内には、照明光を前記読取口を介して前記情報コードに照射する光源が設けられ、
前記保持部材により保持された前記表示部材により覆われる前記ハウジングの部位の少なくとも一部は、前記照明光の少なくとも一部が透過可能な部材から形成されることを特徴とする請求項１に記載の光学的情報読取装置。
【請求項３】
前記表示部材は、前記照明光の少なくとも一部が透過可能な部材から形成されることを特徴とする請求項２に記載の光学的情報読取装置。
【請求項４】
前記光源の照射状態を制御する制御手段を備え、
前記制御手段は、前記光源を、前記情報コードに前記照明光を照射するタイミングと異なるタイミングで点滅させることを特徴とする請求項２または３に記載の光学的情報読取装置。
【請求項５】
前記ハウジング内には、前記ハウジングの部位の少なくとも一部を透過する照明光を照射可能な第２の光源が設けられることを特徴とする請求項２〜４のいずれか一項に記載の光学的情報読取装置。
【発明の詳細な説明】
【技術分野】
【０００１】
本発明は、情報コードを光学的に読み取る定置式の光学的情報読取装置に関するものである。
【背景技術】
【０００２】
従来、情報コードを光学的に読み取る定置式の光学的情報読取装置では、読取口に情報コードを誘導するための誘導情報など所定の情報を利用者に対して容易に視認させるように表示する場合が多く、このように所定の情報を表示する光学的情報読取装置として、下記特許文献１に示す情報読取装置が知られている。この情報読取装置には、読取口にこれをほぼ覆うように液晶表示器が設けられており、情報コードの読み取り時には、液晶表示器が透明状態にされて読取口からの受光量に応じた受光信号が受光光学系から出力され、情報の表示時には、液晶表示器に所定の情報が表示される。これにより、所定の情報を表示するための表示器を別途配設するスペースが不要となり、読取装置の小型化を図ることができる。
【先行技術文献】
【特許文献】
【０００３】
【特許文献１】特開２００７−１０２６２４号公報
【発明の概要】
【発明が解決しようとする課題】
【０００４】
ところで、定置式の光学的情報読取装置では、通常、読取口が上方に開口するように配置されている。このため、上述のように読取口に液晶表示器が設けられる構成では、例えば、利用者が読取口を見下ろしにくい高さに光学的情報読取装置が載置されていると、液晶表示器の表示内容が利用者の視線に入りにくくなるという問題がある。特に、視線の高さが低い利用者にとっては、この問題が顕著となる。また、読取口に設けられる液晶表示器を利用して情報を表示する構成であることから、液晶の偏光フィルター等のために読取口を介して取り込まれる情報コードからの反射光の透過率が大きく下がってしまい、読取精度が低下するという問題がある。さらに、表示器だけでなくこの表示器を制御する制御手段も必要となり、電力消費量が増大するだけでなく部品点数が増大して低コスト化を図ることが困難になるという問題がある。
【０００５】
本発明は、上述した課題を解決するためになされたものであり、その目的とするところは、利用者に対して情報を簡易な構成にて容易に視認させ得る定置式の光学的情報読取装置を提供することにある。
【課題を解決するための手段】
【０００６】
上記目的を達成するため、請求項１に記載の発明は、情報コード（Ｃ）からの反射光（Ｌｒ）を読取口（１３）を介して受光する受光手段（２８）と、前記受光手段が収容されて、載置される面（１１ｂ）を下方とするとき前記読取口が上方に設けられるハウジング（１１，６０）と、を備える定置式の光学的情報読取装置（１０，１０ａ，１０ｂ）であって、前記ハウジングには、当該ハウジングの下面（１１ｂ）を除く上面（１１ａ）および側面（１１ｃ〜１１ｆ）の少なくとも一部に対して、前記読取口に前記情報コードを誘導するための誘導情報（Ｓ１）と所定の情報（Ｓ２）とを表示するための表示部材（５０）を着脱可能に保持するための保持部材（１６）が、設けられることを特徴とする。
なお、上記各括弧内の符号は、後述する実施形態に記載の具体的手段との対応関係を示すものである。
【発明の効果】
【０００７】
請求項１の発明では、読取口が上方に設けられるハウジングには、当該ハウジングの下面を除く上面および側面の少なくとも一部に対して、読取口に情報コードを誘導するための誘導情報と所定の情報とを表示するための表示部材を着脱可能に保持するための保持部材が、設けられている。これにより、誘導情報が表示された表示部材を保持部材を用いてハウジングに装着することで、ハウジングの側面に誘導情報が表示されることとなり、利用者に対して誘導情報を簡易な構成にて容易に視認させることができる。特に、所定の情報として、例えば、当該装置が配置される店舗で実施されるキャンペーン情報等を誘導情報とともに表示部材に表示することで、利用者に対して誘導情報だけでなく所定の情報を含めた情報を簡易な構成にて容易に視認させることができる。
【０００８】
請求項２の発明では、保持部材により保持された表示部材により覆われるハウジングの部位の少なくとも一部（以下、ハウジング透過部という）は、ハウジング内に設けられる光源から照射される照明光の少なくとも一部が透過可能な部材から形成されている。光学的情報読取装置としては、通常、読取口を介して情報コードに照射する光源がハウジング内に設けられている。このため、光源から照射された照明光がハウジング透過部を透過して表示部材を照射することとなり当該表示部材が視覚的に強調されるので、表示部材の視認性向上用の光源を別途採用することなく、利用者に対して表示部材に表示される情報をより容易に視認させることができる。
【０００９】
請求項３の発明では、表示部材は、照明光の少なくとも一部が透過可能な部材から形成されるため、ハウジング透過部を透過した照明光が表示部材も透過することで当該表示部材がより視覚的に強調されることとなり、利用者に対して表示部材に表示される情報をさらに容易に視認させることができる。
【００１０】
請求項４の発明では、制御手段により、光源が、情報コードに照明光を照射するタイミングと異なるタイミングで点滅される。これにより、所望のタイミングで光源を点滅させることで、情報コードに照明光が照射されるタイミングだけでなく、所望のタイミングで表示部材が視覚的に強調されることとなり、利用者に対する誘導情報等の情報の視認性を制御することができる。
【００１１】
請求項５の発明では、ハウジング内には、ハウジング透過部を透過する照明光を照射可能な第２の光源が設けられる。第２の光源を、読取口を介した情報コードの位置を考慮することなく表示部材強調用の光源としてハウジング内に配置できるため、利用者に対して表示部材に表示される情報を容易かつ確実に視認させることができる。
【図面の簡単な説明】
【００１２】
【図１】第１実施形態に係る光学的情報読取装置を概略的に示す斜視図である。
【図２】図１のハウジングを説明する説明図である。
【図３】光学的情報読取装置の電気的構成を示すブロック図である。
【図４】シートを説明する説明図である。
【図５】第２実施形態における光学的情報読取装置の要部を示す説明図である。
【図６】第２実施形態の変形例における光学的情報読取装置の要部を示す説明図である。
【図７】第３実施形態における光学的情報読取装置の要部を示す説明図である。
【発明を実施するための形態】
【００１３】
［第１実施形態］
以下、本発明の光学的情報読取装置を具現化した第１実施形態について、図面を参照して説明する。図１は、第１実施形態に係る光学的情報読取装置１０を概略的に示す斜視図である。図２は、図１のハウジング１１を説明する説明図であり、図２（Ａ）は、上面１１ａ側から見た図を示し、図２（Ｂ）は、左面１１ｅ側から見た図を示し、図２（Ｃ）は、後面１１ｄ側から見た図を示す。
【００１４】
図１に示す光学的情報読取装置１０は、バーコード等の一次元コードやＱＲコード（登録商標）等の二次元コードなどの情報コードを光学的に読み取る定置式の読取装置であって、ＡＢＳ樹脂等の合成樹脂からなる箱状のハウジング１１によって外郭が構成され、このハウジング１１の内部には、情報コードの読み取りを行う回路部２０が収容されている。
【００１５】
図２（Ａ）〜（Ｃ）に示すように、ハウジング１１は、その外面が略矩形状の上面１１ａおよび下面１１ｂとこれら上面１１ａおよび下面１１ｂの四辺をそれぞれ連結する４つの側面とから箱状に形成されている。下面１１ｂは、光学的情報読取装置１０が載置されるときに下方に位置する載置される面である。これら４つの側面は、上面１１ａおよび下面１１ｂの短辺が連結する前面１１ｃおよび後面１１ｄと、上面１１ａおよび下面１１ｂの長辺が連結する左面１１ｅおよび右面１１ｆとから構成される。
【００１６】
前面１１ｃおよび左面１１ｅは縁部１２ａを介して略直角に連結され、前面１１ｃおよび右面１１ｆは縁部１２ｂを介して略直角に連結され、後面１１ｄおよび左面１１ｅは縁部１２ｃを介して略直角に連結され、後面１１ｄおよび右面１１ｆは縁部１２ｄを介して略直角に連結されている。
【００１７】
上面１１ａの中央には、矩形状に形成される読取口１３が形成されるとともに、この読取口１３内を保護するように当該読取口１３を覆う保護部材として防塵プレート１４が設けられている。この防塵プレート１４は、内部から出射される照明光や情報コードからの反射光を透過可能な透明のアクリル樹脂やガラス等から形成されている。また、防塵プレート１４をハウジング１１に設けることにより、ハウジング１１内部への塵や埃などの異物の侵入を防止している。
【００１８】
後面１１ｄには、その下方に電源コード等の配線を引き出すための引き出し穴１５が形成されている。また、各側面１１ｃ〜１１ｆには、後述するシート５０を着脱可能に保持するための保持部材１６が側面全体をほぼ一周するように設けられており（図２（Ａ）参照）、この保持部材１６は、上面１１ａ近傍に設けられて各側面１１ｃ〜１１ｆの上縁近傍から下方に向けてＬ字状に延出する上側爪部１７と、下面１１ｂ近傍に設けられて各側面１１ｃ〜１１ｆの下縁近傍から上方に向けてＬ字状に延出する下側爪部１８とを備えている。
【００１９】
次に、光学的情報読取装置１０の回路部２０の電気的構成について、図３を用いて説明する。図３は、光学的情報読取装置１０の電気的構成を示すブロック図である。
図３に示すように、ハウジング１１の内部に収容される回路部２０は、主に、照明光源２１、受光センサ２８、結像レンズ２７等の光学系と、メモリ３５、制御回路４０等のマイクロコンピュータ（以下「マイコン」という）系と、から構成されている。
【００２０】
光学系は、投光光学系と、受光光学系とに分かれている。投光光学系を構成する照明光源２１は、照明光Ｌｆを発光可能な照明光源として機能するもので、例えば、白色のＬＥＤとこのＬＥＤからの光を読取口１３に向けて出射する光学部材等とから構成されている。なお、図３では、照明光Ｌｆを情報コードＣが付された物品Ｒに向けて読取口１３を介して照射する例を概念的に示している。
【００２１】
受光光学系は、受光センサ２８、結像レンズ２７、反射鏡（図示略）などによって構成されている。受光センサ２８は、例えば、Ｃ−ＭＯＳやＣＣＤ等の固体撮像素子である受光素子を二次元に配列したエリアセンサであってカメラモジュールとして構成されるものであり、情報コードに照射されて反射した反射光Ｌｒを受光可能に構成されている。この受光センサ２８は、結像レンズ２７を介して入射する入射光を受光可能にプリント配線板（図示略）に実装されている。なお、受光センサ２８は、特許請求の範囲に記載の「受光手段」の一例に相当し得る。
【００２２】
結像レンズ２７は、外部から防塵プレート１４を介して入射する入射光を集光して受光センサ２８の受光面２８ａに像を結像可能な結像光学系として機能するものである。本実施形態では、照明光源２１から照射された照明光Ｌｆが情報コードにて反射した後、この反射光Ｌｒを結像レンズ２７で集光し、受光センサ２８の受光面２８ａに情報コードの像を結像させている。
【００２３】
マイコン系は、増幅回路３１、Ａ／Ｄ変換回路３３、メモリ３５、アドレス発生回路３６、同期信号発生回路３８、制御回路４０等から構成されている。このマイコン系は、マイコン（情報処理装置）として機能し得る制御回路４０およびメモリ３５を中心として構成され、上述した光学系によって撮像された情報コードの画像信号をハードウェア的及びソフトウェア的に信号処理し得るものである。
【００２４】
光学系の受光センサ２８から出力される画像信号（アナログ信号）は、増幅回路３１に入力され所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、画像データ蓄積領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２５】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述した画像データ蓄積領域のほかに、制御回路４０が算術演算や論理演算等の各処理時に利用する作業領域や読取条件テーブルも確保可能に構成されている。またＲＯＭには、読取処理、解析処理等を実行可能な所定プログラムやその他、照明光源２１、受光センサ２８等の各ハードウェアを制御可能なシステムプログラム等が予め格納されている。
【００２６】
制御回路４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御回路４０は、内蔵された入出力インタフェースを介して種々の入出力装置（周辺装置）と接続可能に構成されており、本実施形態の場合、制御回路４０には、ＬＥＤなどからなる発光部４３や通信インタフェース４８等が接続されている。
【００２７】
これにより、制御回路４０は、例えば、情報コードの読み取り等に関する情報を通知するインジケータとして機能する発光部４３の点灯・消灯や、外部装置とのシリアル通信を可能にする通信インタフェース４８の通信制御等を可能にしている。
【００２８】
次に、保持部材１６に保持されるシート５０について、図４を用いて詳細に説明する。図４は、シート５０を説明する説明図である。
シート５０は、所定の情報をハウジング１１の側面に表示するための矩形状の用紙である。なお、シート５０は、意匠性の向上や強度確保などを目的に透明の樹脂シート等により保護されてもよい。また、シート５０は、特許請求の範囲に記載の「表示部材」の一例に相当し得る。
【００２９】
図４に示すように、シート５０は、その表示面が、長手方向中央に位置する前側表示面５１と、前側表示面５１の左右に連結する左側表示面５２および右側表示面５３とを有するように構成されている。また、シート５０は、保持部材１６の上側爪部１７および下側爪部１８により保持可能に、その上下方向の高さと厚みが設定されている。
【００３０】
前側表示面５１、左側表示面５２および右側表示面５３は、当該シート５０が保持部材１６により保持されるとき、ハウジング１１の前面１１ｃ、左面１１ｅおよび右面１１ｆを保護するように形成されている（図１参照）。このように形成される前側表示面５１には、読取口１３に情報コードを誘導するための情報（以下、誘導情報Ｓ１という）として、上向きの矢印と「ＱＲコードをタッチ！！」という文字とが印刷されている。また、左側表示面５２および右側表示面５３には、例えば、当該装置が配置される店舗で実施されるキャンペーン情報を告知するための所定の情報（以下、告知情報Ｓ２という）として、「ＸＸＸＸＸＸＸＸキャンペーン実施中！」という文字がそれぞれ印刷されている。
【００３１】
そして、上述のように構成されるシート５０を、左側表示面５２側または右側表示面５３側から保持部材１６の上側爪部１７と下側爪部１８との間に挿入して、前側表示面５１と左側表示面５２との境界が縁部１２ａを覆い、前側表示面５１と右側表示面５３との境界が縁部１２ｂを覆うように、保持部材１６に保持させる。これにより、前面１１ｃが前側表示面５１により覆われ、左面１１ｅが左側表示面５２により覆われ、右面１１ｆが前側表示面５１により覆われるように、ハウジング１１がシート５０により覆われる（図１参照）。このとき、後面１１ｄでは、シート５０の両端部５４，５５が保持部材１６の上側爪部１７および下側爪部１８により保持されている。
【００３２】
以上説明したように、本実施形態に係る光学的情報読取装置１０では、読取口１３が上方に設けられるハウジング１１には、当該ハウジング１１の上面１１ａおよび下面１１ｂを除く側面である前面１１ｃ、左面１１ｅおよび右面１１ｆに対して、読取口１３に情報コードを誘導するための誘導情報Ｓ１と告知情報Ｓ２とを表示するためのシート５０を着脱可能に保持するための保持部材１６が、設けられている。
【００３３】
これにより、誘導情報Ｓ１が表示されたシート５０を保持部材１６を用いてハウジング１１に装着することで、ハウジング１１の前面１１ｃに誘導情報Ｓ１が表示されることとなり、利用者に対して誘導情報Ｓ１を簡易な構成にて容易に視認させることができる。特に、キャンペーン情報等の告知情報Ｓ２を誘導情報Ｓ１とともにシート５０に表示することで、利用者に対して誘導情報Ｓ１だけでなく告知情報Ｓ２を含めた情報を簡易な構成にて容易に視認させることができる。
【００３４】
その後、店頭にて告知情報Ｓ２を異なる情報に変更する場合には、変更したい内容の情報が左側表示面５２および右側表示面５３に表示されたシート５０を用意して、保持部材１６を用いて付け替えることで、シート５０を利用した表示内容の変更を実施することができる。
【００３５】
なお、店頭でのシート５０の付け替えを説明したが、これに限らず、例えば、製品出荷時に顧客（出荷先）が要求する所定の情報が誘導情報Ｓ１とともに表示されたシート５０を保持部材１６を用いてハウジング１１に保持させることで、シート５０を利用した表示内容の変更を実施してもよい。
【００３６】
［第２実施形態］
次に、本第２実施形態に係る光学的情報読取装置について、図５を参照して説明する。図５は、第２実施形態における光学的情報読取装置１０ａの要部を示す説明図である。なお、図５および後述する図６，図７では、説明の便宜上、シート５０をその外形のみ二点鎖線にて図示し、保持部材１６の図示を省略している。
本第２実施形態では、シート５０を視覚的に強調するため、ハウジング１１に代えてハウジング６０を採用する点が、上記第１実施形態に係る光学的情報読取装置と主に異なる。したがって、第１実施形態の光学的情報読取装置と実質的に同一の構成部分には、同一符号を付し、その説明を省略する。
【００３７】
本実施形態に係る光学的情報読取装置１０ａは、ハウジング１１に代えてハウジング６０を備えている。このハウジング６０は、ハウジング１１と同じ形状であって、前面１１ｃ、左面１１ｅおよび右面１１ｆのうち保持部材１６により保持されたシート５０により覆われる部位（以下、ハウジング透過部という）が、ハウジング６０内に設けられる照明光源２１からの光が透過可能な部材、例えば、透明な樹脂部材から形成されている。そして、ハウジング６０内には、図５に示すように、照明光源２１からの光を拡散して読取口１３を介して外部へ照射するための光拡散プレート６１が配置されている。なお、この光拡散プレート６１は、上記光学的情報読取装置１０でもハウジング１１内に配置されて使用されている一般的な光拡散プレートである。
【００３８】
光学的情報読取装置としては、通常、読取口１３を介して情報コードに照射する照明光源２１などの光源がハウジング内に設けられている。このため、照明光源２１から照射された照明光が上記ハウジング透過部を透過してシート５０を照射することとなり当該シート５０が視覚的に強調されるので、シート５０の視認性向上用の光源を別途採用することなく、利用者に対してシート５０に表示される誘導情報Ｓ１や告知情報Ｓ２などの情報をより容易に視認させることができる。
【００３９】
なお、前面１１ｃ、左面１１ｅおよび右面１１ｆのうち保持部材１６により保持されたシート５０により覆われる部位が上記ハウジング透過部として構成されることに限らず、シート５０により覆われるハウジング６０の側面の少なくとも一部が上記ハウジング透過部として構成されてもよい。
【００４０】
また、シート５０を、照明光の少なくとも一部が透過可能な部材、例えば、透明の薄板状の樹脂部材から形成することができる。これにより、上記ハウジング透過部を透過した照明光がシート５０も透過することで当該シート５０がより視覚的に強調されることとなり、利用者に対してシート５０に表示される情報をさらに容易に視認させることができる。
【００４１】
また、制御回路４０は、照明光源２１の照射状態を制御可能なので、制御回路４０により、照明光源２１を、情報コードに照明光を照射するタイミングと異なるタイミングで点滅させることができる。これにより、所望のタイミングで照明光源２１を点滅させることで、情報コードに照明光が照射されるタイミングだけでなく、所望のタイミングでシート５０が視覚的に強調されることとなり、利用者に対する誘導情報Ｓ１等の情報の視認性を制御することができる。なお、制御回路４０は、特許請求の範囲に記載の「制御手段」の一例に相当し得る。
【００４２】
図６は、第２実施形態の変形例における光学的情報読取装置の要部を示す説明図である。
図６に示すように、照明光源２１および光拡散プレート６１に代えて面照明装置６２を採用してもよい。この面照明装置６２は、複数のＬＥＤ６３と各ＬＥＤ６３からの光を表面全体で照射する略平板状の導光板６４とを備えており、導光板６４は、その上縁が後面１１ｄの上縁近傍に固定され、その下縁が前面１１ｃの下縁近傍に固定されている。また、各ＬＥＤ６３は、導光板６４の下縁に一体に組み付けられている。そして、受光センサ２８は、読取口１３を介して入射する情報コードからの反射光を受光するように、導光板６４の下縁中央に形成される凹部から露出して配置されている。
【００４３】
このように面照明装置６２を採用する構成でも、導光板６４から面照射された照明光が上記ハウジング透過部を透過してシート５０を照射することとなり当該シート５０が視覚的に強調されるので、シート５０の視認性向上用の光源を別途採用することなく、利用者に対してシート５０に表示される誘導情報Ｓ１や告知情報Ｓ２などの情報をより容易に視認させることができる。
【００４４】
［第３実施形態］
次に、本第３実施形態に係る光学的情報読取装置について、図７を参照して説明する。図７は、第３実施形態における光学的情報読取装置１０ｂの要部を示す説明図である。
本第３実施形態では、シート５０を視覚的に強調するため、第２の光源７０を新たに採用する点が、上記第２実施形態に係る光学的情報読取装置と主に異なる。したがって、第２実施形態の光学的情報読取装置と実質的に同一の構成部分には、同一符号を付し、その説明を省略する。
【００４５】
図７に示すように、ハウジング６０内には、上述した面照明装置６２が照明光源２１および光拡散プレート６１に代えて採用されており、さらに、上記ハウジング透過部を透過する照明光を照射可能な第２の光源７０が新たに設けられている。これにより、第２の光源７０を、読取口１３を介した情報コードの位置を考慮することなく、シート５０の強調用の光源としてハウジング１１内に配置できるため、利用者に対してシート５０に表示される情報を容易かつ確実に視認させることができる。なお、図７に示す例では、第２の光源７０は、特にシート５０の前側表示面５１を強調するために前面１１ｃの下端近傍に２つ配置されているが、これに限らず、例えば、上記ハウジング透過部を構成する各面の近傍にそれぞれ配置されてもよい。
【００４６】
なお、本発明は上記各実施形態に限定されるものではなく、例えば、以下のように具体化してもよい。
（１）誘導情報Ｓ１は、前側表示面５１のみに表示されることに限らず、各表示面５１〜５３の少なくともいずれかに表示されればよい。なお、誘導情報Ｓ１は、上向きの矢印と「ＱＲコードをタッチ！！」という文字とにより構成されることに限らず、読取口１３に情報コードを誘導するための文字や図形等からなる情報であればよい。
【００４７】
（２）告知情報Ｓ２は、左側表示面５２および右側表示面５３の双方にそれぞれ表示されることに限らず、各表示面５１〜５３の少なくともいずれかに表示されればよい。なお、告知情報Ｓ２は、キャンペーン情報を告知するための所定の情報であることに限らず、当該光学的情報読取装置１０が配置される場所にて告知すべき所定の情報であればよい。
【００４８】
（３）誘導情報Ｓ１および告知情報Ｓ２を表示するための表示部材として、保持部材１６により各側面１１ｃ〜１１ｆを覆うように保持されるシート５０を採用することに限らず、各側面１１ｃ〜１１ｆの少なくとも一部と読取口１３を除く上面１１ａの一部とを覆うように保持部材により保持される表示部材を採用してもよい。この場合、上記上面１１ａの一部に誘導情報Ｓ１および告知情報Ｓ２の少なくともいずれか一方を表示することで、その情報を上方からであっても容易に視認させることができる。
【符号の説明】
【００４９】
１０…光学的情報読取装置
１１，６０…ハウジング
１１ａ…上面  １１ｂ…下面  １１ｃ…前面  １１ｄ…後面  １１ｅ…左面  １１ｆ…右面
１３…読取口
１６…保持部材
２８…受光センサ（受光手段）
５０…シート（表示部材）
５１…前側表示面  ５２…左側表示面  ５３…右側表示面  ５４，５５…端部
７０…第２の光源
Ｃ…情報コード
Ｓ１…誘導情報
Ｓ２…告知情報（所定の情報）
【図１】
2014044570.tif 000003
【図２】
2014044570.tif 000004
【図３】
2014044570.tif 000005
【図４】
2014044570.tif 000006
【図５】
2014044570.tif 000007
【図６】
2014044570.tif 000008
【図７】
2014044570.tif 000009